(57)【要約】【課題】  デジタル放送において、モバイル（携帯端末装置）向けでないチャンネル放送をそのモバイルで視聴できるようにするための技術を提供する。【解決手段】  １２セグメントが割り当てられた放送のデータはチューナー部１０１で受信され、ＯＦＤＭ復調回路１０２で復調された後、映像記憶部１０９に記憶させることができる。１セグメントが割り当てられた放送に対応の携帯端末装置には、映像記憶部１０９に記憶されたデータを復号回路１０３によって復号化し、復号化されたデータを変換部１１０によりその放送で採用の符号化方式で符号化したデータを、通信インターフェース部１０５を介して転送する。【選択図】      図１
2005197829.tif 000002
【特許請求の範囲】
【請求項１】
同一チャンネルを複数の帯域に分割し、該帯域毎に異なる符号化方式を採用できるデジタル放送で送信されるデータの変換を行う装置であって、
前記デジタル放送で送信されるデータを受信するデータ受信手段と、
前記データ受信手段が受信したデータを、該データに採用された符号化方式とは異なる他の符号化方式で符号化されたデータに変換するデータ変換手段と、
前記データ変換手段が変換した後のデータを出力するためのデータ出力手段と、
を具備することを特徴とするデータ受信装置。
【請求項２】
前記データ変換手段は、同一チャンネル内でそれぞれ複数の帯域が割り当てられた複数のチャンネルのデータを対象に、１帯域が割り当てられたチャンネルのデータに採用されている符号化方式のデータに変換でき、
前記データ出力手段は、前記データ変換手段が変換した後の各チャンネルのデータを送信することで出力できる、
ことを特徴とする請求項１記載のデータ受信装置。
【請求項３】
同一チャンネルを複数の帯域に分割し、該帯域毎に異なる符号化方式を採用できるデジタル放送で送信されるデータによる映像を表示できる携帯端末装置において、
前記デジタル放送で送信されるデータを受信するデータ受信手段と、
前記データ受信手段が受信したデータを復号化する復号化手段と、
前記復号化手段が復号化したデータを表示装置上に表示させる表示制御手段と、
前記データ受信手段が受信の対象とするデータで採用されている符号化方式で符号化されたデータを取得できるデータ取得手段と、
前記データ取得手段が取得した、前記同一チャンネル内でそれぞれ複数の帯域が割り当てられた複数のチャンネルのデータを前記表示装置上に表示させる場合に、該チャンネルのデータを前記復号化手段にそれぞれ復号化させ、該復号化された各チャンネルのデータをそれぞれ別の画面で前記表示制御手段に該表示装置上に表示させる制御を行う映像管理手段と、
を具備することを特徴とする携帯端末装置。
【請求項４】
前記映像管理手段は、前記画面と該画面にデータを表示させるチャンネルの対応関係を変更できる、
ことを特徴とする請求項３記載の携帯端末装置。
【請求項５】
同一チャンネルを複数の帯域に分割し、該帯域毎に異なる符号化方式を採用できるデジタル放送で送信されるデータによる映像を表示できる携帯端末装置に実行させるプログラムであって、
前記デジタル放送で送信されるデータを受信する機能と、
前記受信する機能により受信したデータを復号化する機能と、
前記復号化する機能により復号化したデータを表示装置上に表示させる機能と、
前記受信する機能により受信の対象とするデータで採用されている符号化方式で符号化されたデータを取得できる機能と、
前記取得できる機能により取得した、前記同一チャンネル内でそれぞれ複数の帯域が割り当てられた複数のチャンネルのデータを前記表示装置上に表示させる場合に、該チャンネルのデータを前記復号化する機能によりそれぞれ復号化させ、該復号化された各チャンネルのデータをそれぞれ別の画面で前記表示させる機能により該表示装置上に表示させる制御を行う機能と、
を実現させるためのプログラム。
【発明の詳細な説明】
【技術分野】
【０００１】
本発明は、同一チャンネルを複数の帯域に分割し、帯域毎に異なる符号化方式を採用できるデジタル放送で送信されるデータを表示させるための技術に関する。
【背景技術】
【０００２】
最近、開始された地上デジタル放送には様々な魅力があるとされている。その魅力とは、鮮明な画像と奥行きのある音声、多チャンネル放送、データ放送と双方向サービス、モバイル向け放送、などである。このことから、現在、そのような魅力を生かす方向でのデジタル放送のありかたが模索されている。
【０００３】
地上デジタル放送では、１チャンネルを１３セグメント（ｓｅｇ）に分けている。それにより、セグメント単位で帯域を利用できるようになっている。多チャンネル放送では、１セグメント（チャンネル）を使った携帯端末装置（以降「モバイル」と記す）向け放送、残りの１２セグメントを使った１チャンネルのハイビジョン放送、或いは標準画質（ＳＤＴＶ）での３チャンネル放送を行うことができるようになっている（図２参照）。モバイル向け放送は１２セグメントを使った放送とは採用された符号化方式が異なっている。
【０００４】
３チャンネル放送は、各チャンネルを任意に使うことができる。このため、異なる視点でスポーツ中継を複数、行うことができる。そのスポーツ中継と並行した選手の紹介、或いは過去のプレイシーンの再生なども行うことができる。このようなことから、視聴者がより楽しめる番組作りがより容易に行えるようになっている。
【０００５】
上述したように、１２セグメントを使った放送はモバイル向け放送とは採用された符号化方式が異なることから、モバイルで視聴することは想定されていない。しかし、１２セグメントを使った放送ではより楽しめる番組が期待できることから、モバイルで番組を視聴しようとするユーザーのなかでその放送の番組の視聴を希望するものの割合は小さくないと考えられる。モバイルのユーザーは非常に多いということからも、１２セグメントを使った放送の番組をモバイルで視聴できるようにすることには大きな意味があると考えられる。
【特許文献１】特開２００２−２９０８４４号公報
【発明の開示】
【発明が解決しようとする課題】
【０００６】
本発明の課題は、デジタル放送において、モバイル（携帯端末装置）向けでないチャンネル放送をそのモバイルで視聴できるようにするための技術を提供することにある。
【課題を解決するための手段】
【０００７】
本発明のデータ受信装置は、同一チャンネルを複数の帯域に分割し、該帯域毎に異なる符号化方式を採用できるデジタル放送で送信されるデータの変換を行うものであり、デジタル放送で送信されるデータを受信するデータ受信手段と、データ受信手段が受信したデータを、該データに採用された符号化方式とは異なる他の符号化方式で符号化されたデータに変換するデータ変換手段と、データ変換手段が変換した後のデータを出力するためのデータ出力手段と、を具備する。
【０００８】
なお、上記データ変換手段は、同一チャンネル内でそれぞれ複数の帯域が割り当てられた複数のチャンネルのデータを対象に、１帯域が割り当てられたチャンネルのデータに採用されている符号化方式のデータに変換でき、データ出力手段は、データ変換手段が変換した後の各チャンネルのデータを送信することで出力できる、ことが望ましい。
【０００９】
本発明の携帯端末装置は、同一チャンネルを複数の帯域に分割し、該帯域毎に異なる符号化方式を採用できるデジタル放送で送信されるデータによる映像を表示できることを前提とし、デジタル放送で送信されるデータを受信するデータ受信手段と、データ受信手段が受信したデータを復号化する復号化手段と、復号化手段が復号化したデータを表示装置上に表示させる表示制御手段と、データ受信手段が受信の対象とするデータで採用されている符号化方式で符号化されたデータを取得できるデータ取得手段と、データ取得手段が取得した、同一チャンネル内でそれぞれ複数の帯域が割り当てられた複数のチャンネルのデータを表示装置上に表示させる場合に、該チャンネルのデータを復号化手段にそれぞれ復号化させ、該復号化された各チャンネルのデータをそれぞれ別の画面で表示制御手段に該表示装置上に表示させる制御を行う映像管理手段と、を具備する。
【００１０】
なお、上記映像管理手段は、画面と該画面にデータを表示させるチャンネルの対応関係を変更できる、ことが望ましい。
本発明のプログラムは、上記携帯端末装置が具備する手段を実現させるための機能が搭載されている。
【発明の効果】
【００１１】
本発明は、同一チャンネルを複数の帯域に分割し、帯域毎に異なる符号化方式を採用できるデジタル放送で送信されたデータを、そのデータに採用の符号化方式とは異なる他の符号化方式で符号化されたデータに変換して出力する。このため、その他の符号化方式にのみ対応した再生装置（受像装置）で対応していない符号化方式のデータを再生させることができる。それにより、モバイル（携帯端末装置）向けでないチャンネル放送をそのモバイルで視聴させることもできるようになる。
【００１２】
本発明は、同一チャンネル内でそれぞれ複数の帯域が割り当てられた複数のチャンネルのデータを取得した場合に、各チャンネルのデータをそれぞれ復号化させ、復号化された各チャンネルのデータをそれぞれ別の画面で同時に表示させる。このため、ユーザーは各チャンネルの番組を同時に楽しむことができる。それにより、モバイル（携帯端末装置）向けでないチャンネル放送をそのモバイルでより適切に視聴させることができる。
【発明を実施するための最良の形態】
【００１３】
以下、本発明の実施の形態について、図面を参照しながら詳細に説明する。
＜第１の実施の形態＞
図１は、第１の実施の形態によるデータ受信装置の構成図である。
【００１４】
そのデータ受信装置は、図１に示すように、放送用の電波のなかで設定チャンネルのものをアンテナＡＴにより受信して受信信号を出力するチューナー部１０１と、その受信信号を復調するＯＦＤＭ（Orthogonal Frequency Division Multiplexing）復調回路１０２と、その復調後の受信信号を復号化して、映像データ、音声データをそれぞれ出力する復号回路１０３と、復号回路１０３から入力した映像データ、音声データを有線により外部、例えばテレビジョン（以下「テレビ」或いは「ＴＶ」と略記）に出力する出力部１０４と、外部装置との間でデータの送受信を行う通信インターフェース部１０５と、各種スイッチを有するスイッチ（ＳＷ）部１０６と、例えばＲＡＭやＲＯＭ等の複数の半導体メモリからなるメモリ部１０７と、装置全体の制御を行うＣＰＵ１０８と、復調されたデータ（所定の符号化方式により圧縮されたデータ）を格納する映像記憶部１０９と、その復調されたデータを、それとは異なる符号化方式で符号化できる変換部１１０と、を備えて構成されている。
【００１５】
上記映像記録部１０９は、例えばハードディスク装置、或いは着脱自在なＤＶＤ等の記録媒体にアクセスする媒体駆動装置である。上記通信ネットワーク部１０５は、例えば無線で通信を行うものである。
【００１６】
上記チューナー部１０１により選局する放送は例えば地上デジタル放送である。そのデジタル放送では、図２（ａ）に示すように、１チャンネル（ｃｈ）は１３セグメント（ｓｅｇ）に分けられており、その１チャンネルにおいて、１２セグメントを使ったハイビジョン（ＨＤＴＶ）放送、１セグメントを使ったモバイル向け放送を行うことができるようになっている。ハイビジョンではなく標準画質（ＳＤＴＶ）にすると、図２（ｂ）に示すように、１２セグメントで３チャンネル放送を行えるようになっている。
【００１７】
１２セグメントが割り当てられた放送（以下「１２ｓｅｇ放送」と呼ぶ）と１セグメントが割り当てられたモバイル向け放送とでは、採用されたデータの符号化方式が異なっている。このため、モバイル向け放送に対応したモバイルでは、１２ｓｅｇ放送の番組は視聴できない。
【００１８】
１２ｓｅｇ放送では、多チャンネル放送（図２（ｂ））が行えるため、モバイル向け放送と比較してより楽しめる番組が期待できる。このことから、本実施の形態によるデータ受信装置は、１２ｓｅｇ放送のデータをモバイル向け放送のデータに変換してモバイルに送信できるもの、つまり１２ｓｅｇ放送の番組をモバイルで視聴できるようにするものとして実現されている。それにより、モバイルのユーザーに対し、より多様なデジタル放送の楽しみ方を提供できるものとなっている。本実施の形態によるモバイル（携帯端末装置）は、そのデータを受信して、それが多チャンネル放送のものであれば、各チャンネルの映像を同時並行して表示できるものとして実現されている。
【００１９】
本実施の形態によるモバイルは、図１に示す構成の大部分を備えている。図１に示す構成における相違としては、出力部１０４が出力する映像データを表示する表示部、及びそれが出力する音声データを放音するスピーカ等が存在し、変換部１１０が存在しないことが挙げられる。このことから、モバイルのみの構成として説明する場合には、図１に示す構成要素の符号に「Ｍ」を付して（例えばＳＷ部はモバイルでは「ＳＷ部１０６Ｍ］と表記して）区別することとする。
【００２０】
以降は、図３〜図９に示す各処理のフローチャートを参照して、より多様なデジタル放送の楽しみ方の提供を可能とさせるデータ受信装置、及びモバイルの動作について詳細に説明する。なお、図３〜図９に示す各処理は、データ受信装置、及びモバイル共に、ＣＰＵ１０８が、メモリ部１０７に格納されたプログラムを実行することで実現される。
【００２１】
図３〜図６は、データ処理装置が実行する処理を示すフローチャートである。始めに図３〜図６を参照して、それが実行する処理について詳細に説明する。
図３は、録画処理のフローチャートである。その録画処理は、スイッチ部１０６が有する録画スイッチを操作することで指示される録画を実現させるために実行される処理である。始めに図３を参照して、その録画処理について詳細に説明する。
【００２２】
先ず、ステップ３０１では、録画スイッチがオンされたか否か判定する。そのスイッチをユーザーが操作した場合、その旨がスイッチ１０６からＣＰＵ１０８に通知されることから、判定はＹＥＳとなってステップ３０２に移行し、ＯＦＤＭ復調回路１０２が復調したデータ（圧縮された映像データ、及び音声データ）を映像記憶部１０９に記憶させる処理を行う。そうでない場合には、判定はＮＯとなり、ここで一連の処理を終了する。
【００２３】
上記ステップ３０２の処理は、スイッチ部１０６の停止スイッチがオンされることでステップ３０３の判定がＹＥＳとなるまで継続して行う。そのスイッチへの操作により判定がＹＥＳとなると、ステップ３０４に移行して、録画を停止させた後、一連の処理を終了する。
【００２４】
図４は、再生処理のフローチャートである。その再生処理は、スイッチ部１０６が有する再生スイッチを操作することで指示される録画番組の再生を実現させるために実行される処理である。その再生の対象となる録画番組は、映像記憶部１０９に格納されたデータのなかからユーザーがスイッチ部１０６を操作して選択したものである。次に図４を参照して、録画番組の再生を実現させる再生処理について詳細に説明する。
【００２５】
先ず、ステップ４０１では、再生スイッチがオンされたか否か判定する。そのスイッチをユーザーが操作した場合、判定はＹＥＳとなってステップ４０２に移行する。そうでない場合には、判定はＮＯとなり、ここで一連の処理を終了する。
【００２６】
ステップ４０２では、映像記憶部１０９に記憶されているデータ（録画番組）のなかでユーザーが予め選択したものを読み出す。その読み出しの対象は、再生すべき部分のものであり、その読み出し後に移行するステップ４０３では、読み出したデータを復号回路１０３に送り、復号化させる。その次のステップ４０４では、復号化されたデータを出力部１０４に出力させる。それにより、テレビ等に映像を表示させる。
【００２７】
上記ステップ４０２〜４０４の処理は、スイッチ部１０６の停止スイッチがオンされるか、或いは再生すべきデータの再生が完了することでステップ４０５の判定がＹＥＳとなるまで継続して繰り返し行う。そのスイッチへの操作、或いはデータの再生の完了により判定がＹＥＳとなるのを待って、一連の処理を終了する。
【００２８】
図５は、変換処理のフローチャートである。その変換処理は、スイッチ部１０６が有する変換スイッチを操作することで指示される、映像記憶部１０９に記憶されたデータのモバイル向け放送用に採用された符号化方式（以降、便宜的に「モバイル符号化方式」と呼ぶ）のデータへの変換を実現させるために実行される処理である。その変更の対象となるデータ（録画番組）は、再生時と同様に、映像記憶部１０９に格納されたデータのなかからユーザーがスイッチ部１０６を操作して選択したものである。次に図５を参照して、そのデータ変換を実現させる変換処理について詳細に説明する。
【００２９】
先ず、ステップ５０１では、変換スイッチがオンされたか否か判定する。そのスイッチをユーザーが操作した場合、判定はＹＥＳとなってステップ５０２に移行し、映像記憶部１０９に記憶されたデータの符号化方式を変換するための処理を行う。そうでない場合には、判定はＮＯとなり、ここで一連の処理を終了する。
【００３０】
ステップ５０２の処理によるデータの変換は、具体的には、映像記憶部１０９に記憶された変換対象のデータを読み出し、それを復号回路１０３に送って復号化させ、復号化されたデータを変換部１１０によりモバイル符号化方式で符号化させ、その符号化後のデータを映像記憶部１０９に記憶させることで行われる。
【００３１】
そのデータの変換は、スイッチ部１０６の停止スイッチがオンされるか、或いは変換すべきデータの変換が完了することでステップ５０３の判定がＹＥＳとなるまで継続して行う。そのスイッチへの操作、或いはデータの変換の完了により判定がＹＥＳとなるのを待って、一連の処理を終了する。
【００３２】
このようなことから、ユーザーは変換スイッチを操作して変換処理を実行させることにより、モバイル符号化方式で符号化されたデータを生成させることができる。生成したデータは映像記憶部１０９に記憶されるため、随時、１２ｓｅｇ放送の録画番組を楽しむことができる。
【００３３】
図６は、転送処理のフローチャートである。その転送処理は、スイッチ部１０６が有する転送スイッチを操作することで指示される、映像記憶部１０９に記憶されたデータの転送を実現させるために実行される処理である。その転送の対象となるデータ（録画番組）は、変換されたデータに限定しており、映像記憶部１０９に記憶できるデータは一つ、つまり１番組のみとさせている。データ受信装置が実行する処理では、最後に図６を参照して、そのデータ転送を実現させる転送処理について詳細に説明する。
【００３４】
先ず、ステップ６０１では、転送スイッチがオンされたか否か判定する。そのスイッチをユーザーが操作した場合、判定はＹＥＳとなってステップ６０２に移行する。そうでない場合には、判定はＮＯとなり、ここで一連の処理を終了する。
【００３５】
ステップ６０２では、変換されたデータがあるか否か判定する。そのデータが映像記憶部１０９に記憶されていた場合、判定はＹＥＳとなってステップ６０４に移行し、それに記憶されたデータを読み出して通信インターフェース部１０５に送り、送信させる。そうでない場合には、判定はＮＯとなってステップ６０３に移行し、出力部１０４を介してテレビ等に変換データがない旨を通知するためのメッセージを出力させて一定時間、そのメッセージを表示させた後、一連の処理を終了する。
【００３６】
ステップ６０４の処理によるデータの転送は、スイッチ部１０６の停止スイッチがオンされるか、或いは転送すべきデータの変換が完了することでステップ６０５の判定がＹＥＳとなるまで継続して行う。そのスイッチへの操作、或いはデータ転送の完了により判定がＹＥＳとなるのを待って、一連の処理を終了する。
【００３７】
このようにして、ユーザーが変換させたデータは、転送処理を実行させることで通信インターフェース部１０５を介して外部装置（モバイル）に転送させることができるようになっている。それにより、１２ｓｅｇ放送の番組をモバイルで視聴できるようにさせている。
【００３８】
そのデータが転送されるモバイルは、そのデータを通信インターフェース部１０５Ｍにより受信し、受信したデータは映像記憶部１０９Ｍに記憶させる。それにより、任意に再生できるようにさせる。
【００３９】
以降は、そのモバイルが実行する処理について詳細に説明する。
図７、図８は、モバイルにおける再生処理のフローチャートである。その再生処理は、上記データ受信装置と同様に、スイッチ部１０６Ｍが有する再生スイッチへの操作により指示される録画番組の再生を実現させるために実行される処理である。その再生の対象となる録画番組は、映像記憶部１０９Ｍに記憶された、そのデータ受信装置から転送されたデータである。始めに図７、図８を参照して、その再生処理について詳細に説明する。
【００４０】
先ず、ステップ７０１では、再生スイッチがオンされたか否か判定する。そのスイッチをユーザーが操作した場合、判定はＹＥＳとなり、ステップ７０２で変数ＭＦに０を代入してからステップ７０３に移行する。そうでない場合には、判定はＮＯとなり、ここで一連の処理を終了する。
【００４１】
ステップ７０３では、映像記憶部１０９Ｍに記憶された受信データは標準画質以外のものであったか否か判定する。１２ｓｅｇ放送では、標準画質であれば３チャンネルの番組を放送できる（図２（ｂ））。このことから、受信データが３チャンネル分、存在する場合、判定はＮＯとなって図８のステップ７１０に移行する。そうでない場合には、即ち受信データがハイビジョン放送のものであった場合には、判定はＹＥＳとなってステップ７０４に移行する。
【００４２】
ステップ７０４では、受信データを表示させる画面のサイズとして、表示部全体を覆うサイズのものを出力部１０４Ｍに対して設定する。続くステップ７０５では、映像記憶部１０９Ｍから再生すべき分の受信データを読み出す。次のステップ７０６では、読み出した受信データを復号回路１０３Ｍに送って復号化させる。その後は、ステップ７０７で復号化後のデータを出力部１０４に送らせることにより、表示部に表示させた画面内に表示させる。
【００４３】
上記ステップ７０５〜７０７の処理は、スイッチ部１０６Ｍの停止スイッチがオンされるか、或いは再生すべきデータの再生が完了することでステップ７０８の判定がＹＥＳとなるまで継続して繰り返し行う。そのスイッチへの操作、或いはデータの再生の完了により判定がＹＥＳとなると、ステップ７０９に移行して、表示部に表示させた画面を消去させるなどの再生の終了に伴う処理を実行した後、一連の処理を終了する。
【００４４】
上記ステップ７０３の判定がＮＯとなって移行する図８のステップ７１０では、出力部１０４Ｍに対して、メイン画面エリア、サブ画面１エリア、及びサブ画面２エリアを映像表示用画面として表示部に表示させる設定を行う。その後は、ステップ７１２で映像記憶部１０９Ｍからの受信データ（ここでは３チャンネル分）の読み出しを行い、次のステップ７１３でそれらのデータを復号回路１０３Ｍにより復号化を行わせた後、ステップ７１４に移行する。
【００４５】
上記画面エリアは図１０に示すように表示部に配置されて表示される。その図１０（ａ）において、「映像１」が表記された枠がメイン画面エリアであり、「映像２」が表記された枠がサブ画面１エリア、「映像３」が表記された枠がサブ画面２エリアである。映像１自体は、３チャンネルのなかで主となるチャンネルのデータによって表示される映像を示している。映像２、３はそれ以外のチャンネルのデータによって表示される映像を示している。ここでは説明上、便宜的に、映像１を表示させるチャンネルのデータをメイン映像データ、映像２を表示させるチャンネルのデータをサブ映像１データ、映像３を表示させるチャンネルのデータをサブ映像２データ、とそれぞれ表記することとする。
【００４６】
本実施の形態では、図１０（ａ）〜（ｃ）に示すように、各チャンネルの番組の映像を全て表示させることにより、１２ｓｅｇ放送の多チャンネル放送に対応させている。それにより、その多チャンネル放送をモバイルでも視聴できるようにさせている。
【００４７】
それら映像データは、図１０（ａ）〜（ｃ）に示すように、変数ＭＦの値に応じた位置の画面エリアに表示させるようになっている。変数ＭＦは、映像データを表示させる画面エリアを管理するために用意している。
【００４８】
その変数ＭＦの値は、その値の変更を指示する機能を割り当てたスイッチへの操作により実行される図９のスイッチ割込み処理によって変更される。その割込み処理では、変数ＭＦの値を判定し（ステップ９０１）、その値が０と判定すれば１、その値が１と判定すれば２、その値が２と判定すれば０、を変数ＭＦに新たに代入するようになっている（ステップ９０２〜９０４）。それにより、そのスイッチをユーザーが操作する度に、図１０（ａ）の状態→図１０（ｂ）の状態→図１０（ｃ）の状態→図１０（ａ）の状態、といったように、サイクリックに映像データを表示させる画面エリアを変更するようになっている。そのようにして、映像データとそれが表示される画面エリアの対応関係を変数ＭＦの値に応じて変更させることにより、ユーザーが所望する形で多チャンネル放送を楽しめるようにさせている。
【００４９】
ステップ７１４〜７２３では、そのように映像データを表示させる画面エリアの変更を実現させるための処理が行われる。
先ず、ステップ７１４では、変数ＭＦの値を判定する。その値が１と判定した場合、ステップ７１５に移行し、復号化後のメイン映像データをメイン画面エリアに表示させる指示を出力部１０４に対して行う。以降、同様に、ステップ７１６でサブ映像１データをサブ画面１エリアに表示させる指示を行い、ステップ７１７でサブ映像２データをサブ画面２エリアに表示させる指示を行う。それにより、図１０（ａ）の状態で各映像データを表示部に表示させる。ステップ７１４で変数ＭＦの値が１と判定した場合には、同様にステップ７１８〜７２０の処理を実行することにより、図１０（ｂ）の状態で各映像データを表示部に表示させる。ステップ７１４で変数ＭＦの値が２と判定した場合には、同様にステップ７２１〜７２３の処理を実行することにより、図１０（ｃ）の状態で各映像データを表示部に表示させる。
【００５０】
上記ステップ７１７、７２０、或いは７２３の処理を実行した後は、ステップ７２４に移行する。そのステップ７２４では、スイッチ部１０６Ｍの停止スイッチのオン、及び再生すべきデータの再生の完了の何れかが発生したか否か判定する。そのスイッチをユーザーが操作するか、或いはデータの再生が完了した場合、判定はＹＥＳとなり、ステップ７２５に移行して、表示部に表示させた画面を消去させるなどの再生の終了に伴う処理を実行した後、一連の処理を終了する。そうでない場合には、即ちそれらの何れも発生しなかった場合には、判定はＮＯとなって上記ステップ７１２に戻る。それにより、映像データの再生を継続させる。
＜第２の実施の形態＞
上記第１の実施の形態では、図１０に示すように、各映像データは全ての画面エリアで表示させることができるようになっている。これに対し、第２の実施の形態は、一つの映像データを表示させる画面エリアを固定として、他の映像データのみ、表示させる画面エリアを変更できるようにしたものである。
【００５１】
このようなことから、第２の実施の形態では、データ受信装置の構成、及び動作は第１の実施の形態から変わっていない。モバイルでは、映像データの表示方法が第１の実施の形態から異なっていることによって、第１の実施の形態から動作に異なる部分がある。しかし、その構成は、第１の実施の形態におけるそれと基本的に同じである。それにより、第１の実施の形態で付した符号をそのまま用いて、第１の実施の形態から異なるモバイルの動作についてのみ説明する。
【００５２】
第２の実施の形態では、図１３に示すように、メイン映像データを表示させる画面エリアをメイン画面エリアに固定させ、サブ映像１データ、サブ映像２データの表示場所を変数ＭＦの値に応じてサブ画面１エリア、サブ画面２エリアの何れかとさせている。それにより、図７、図８に示す再生処理において、図８のステップ７１０以降の処理が図１１、図１２に示すフローチャートのように変更されている。このことから、図１１、図１２を参照して、その変更された部分についてのみ詳細に説明する。
【００５３】
第２の実施の形態では、図７のステップ７０３の判定がＮＯとなると、図１１のステップ１１０１に移行する。そのステップ１１０１では、出力部１０４Ｍに対して、メイン画面エリア、サブ画面１エリア、及びサブ画面２エリアを映像表示用画面として表示部に表示させる設定を行う。その後は、ステップ１１０２で映像記憶部１０９Ｍからの受信データの読み出しを行い、次のステップ１１０３でそれらのデータを復号回路１０３Ｍにより復号化を行わせ、その次のステップ１１０４でメイン映像データを出力部１０４Ｍによりメイン画面エリアに表示させる。ステップ１１０５にはその後に移行する。
【００５４】
ステップ１１０５では、変数ＭＦの値が０か否か判定する。その値が０であった場合、判定はＹＥＳとなり、ステップ１１０６で復号化後のサブ映像１データをサブ画面１エリアに表示させ、ステップ１１０７でサブ映像２データをサブ画面２エリアに表示させてからステップ１１１０に移行する。それにより、図１１（ａ）の状態で各映像データを表示部に表示させる。その値が１であった場合には、判定はＮＯとなり、ステップ１１０８、１１０９を同様に実行することにより、図１１（ｂ）の状態で各映像データを表示部に表示させる。ステップ１１１０にはその後に移行する。
【００５５】
ステップ１１１０では、映像データを表示させる状態の切り替え用にスイッチ部１０６Ｍに設けられた切替スイッチがオンされた状態か否か判定する。そのスイッチをユーザーが押下しているような場合、判定はＹＥＳとなり、ステップ１１１１で変数Ｔの値をインクリメントした後、図１２のステップ１１１３に移行する。そうでない場合には、判定はＮＯとなり、ステップ１１１２で変数Ｔに０を代入してからそのステップ１１１３に移行する。その変数Ｔは切替スイッチがオンされている状態となっている時間計時用の変数である。
【００５６】
図１２のステップ１１１３では、変数Ｔの値が所定値αより大きいか否か判定する。その所定値αは、一定時間、切替スイッチがオンされているか否か判定用に設定された値である。このことから、その一定時間、ユーザーが切替スイッチを押下しているような場合、判定はＹＥＳとなり、ステップ１１１４で変数ＭＦの値を反転、つまりそれまでの値が０であれば１、それまでの値が１であれば０を新たに代入し、更にステップ１１１５で変数Ｔに０を代入してからステップ１１１６に移行する。そうでない場合には、判定はＮＯとなってそのステップ１１１６に移行する。
【００５７】
ステップ１１１６では、スイッチ部１０６Ｍの停止スイッチのオン、及び再生すべきデータの再生の完了の何れかが発生したか否か判定する。そのスイッチをユーザーが操作するか、或いはデータの再生が完了した場合、判定はＹＥＳとなり、ステップ１１１７に移行して、表示部に表示させた画面を消去させるなどの再生の終了に伴う処理を実行した後、一連の処理を終了する。そうでない場合には、即ちそれらの何れも発生しなかった場合には、判定はＮＯとなって図１１のステップ１１０２に戻る。それにより、映像データの再生を継続させる。
【００５８】
このようにして、本実施の形態では、ユーザーが切替スイッチを押下し続けると、一定時間が経過する度に、図１１（ａ）の状態→図１１（ｂ）の状態→図１１（ａ）の状態、にサイクリックに各サブ映像データの表示場所を交互に変更するようになっている。そのようにして、各サブ映像データの表示場所を任意に変更できるようにさせている。
【００５９】
なお、本実施の形態（第１、及び第２の実施の形態）では、３チャンネルのデータを全て同時に表示させるようにしているが、データを表示させるチャンネルは３チャンネルに固定させなくとも良い。例えば表示させるチャンネルをユーザーが選択できるようにさせても良い。また、チャンネル毎に、データを表示させるエリアを指定できるようにさせても良い。データ受信装置から転送されるデータについては、それを記憶するのではなく、リアルタイムに表示させるようにしても良い。
【００６０】
上述したようなデータ受信装置、或いはモバイル（携帯端末装置）を実現させるようなプログラムは、ＣＤ−ＲＯＭ、ＤＶＤ、或いは着脱自在なフラッシュメモリ等の記録媒体に記録させて配布しても良い。携帯電話網等の通信ネットワークを介して、そのプログラムの一部、若しくは全部を配信するようにしても良い。そのようにした場合には、ユーザーはプログラムを取得してデータ受信装置、或いはモバイルにロードすることにより、本発明を適用させることができる。このことから、記録媒体は、プログラムを配信する装置がアクセスできるものであっても良い。
【図面の簡単な説明】
【００６１】
【図１】第１の実施の形態によるデータ受信装置の構成図である。
【図２】デジタル放送における１チャンネル分のセグメントの利用形態を説明する図である。
【図３】録画処理のフローチャートである。
【図４】再生処理のフローチャートである。
【図５】変換処理のフローチャートである。
【図６】転送処理のフローチャートである。
【図７】第１の実施の形態による携帯端末装置が実行する再生処理のフローチャートである。
【図８】第１の実施の形態による携帯端末装置が実行する再生処理のフローチャートである（続き）。
【図９】第１の実施の形態による携帯端末装置が実行するスイッチ割込み処理のフローチャートである。
【図１０】各チャンネルのデータの表示方法を説明する図である。
【図１１】第２の実施の形態による携帯端末装置が実行する再生処理のフローチャートである（抜粋）。
【図１２】第２の実施の形態による携帯端末装置が実行するスイッチ割込み処理のフローチャートである（抜粋：続き）。
【図１３】各チャンネルのデータの表示方法を説明する図である（第２の実施の形態）。
【符号の説明】
【００６２】
１０１    チューナー部
１０２    ＯＦＤＭ復調部
１０３    復号回路
１０４    出力部
１０５    通信インターフェース部
１０６    スイッチ部
１０７    メモリ部
１０８    ＣＰＵ
１０９    映像記憶部
１１０    変換部
【図１】
2005197829.tif 000003
【図２】
2005197829.tif 000004
【図３】
2005197829.tif 000005
【図４】
2005197829.tif 000006
【図５】
2005197829.tif 000007
【図６】
2005197829.tif 000008
【図７】
2005197829.tif 000009
【図８】
2005197829.tif 000010
【図９】
2005197829.tif 000011
【図１０】
2005197829.tif 000012
【図１１】
2005197829.tif 000013
【図１２】
2005197829.tif 000014
【図１３】
2005197829.tif 000015